【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
第１のネットワークを通じて１以上のノードと通信する制御装置であって、
前記１以上のノードを含む前記第１のネットワーク上に存在するノードの情報を管理するノード情報管理手段と、
前記ノードから送出される第１の信号を受信する受信手段と、
前記受信手段で第１の信号を受信すると、前記ノード情報管理手段で管理されるノード情報に基づいて前記第１の信号の送信元ノードのノード状態がどのように変化したかを判定する判定手段と、
前記判定手段による判定の結果、前記送信元ノードのノード状態に変化があればその変化内容を示す通知を、第２のネットワークを通じてアプリケーションへ送信する送信手段と、を備える、制御装置。
【請求項２】
前記判定手段は、前記受信手段により第１の信号をブロードキャストで受信し、かつ、前記第１の信号の送信元ノードが前記ノード情報管理に存在し参加済みであるならば、前記送信元ノードの給電が再開されたと判定する、請求項１に記載の制御装置。
【請求項３】
前記判定手段は、前記受信手段により第１の信号をユニキャストで受信し、かつ、前記第１の信号の送信元ノードが前記ノード情報管理に存在し参加済みであるならば、前記送信元ノードで特定の操作が行なわれたと判定する、請求項１に記載の制御装置。
【請求項４】
第１のネットワークを通じて１以上のノードと通信する制御装置と、
第２のネットワークを通じて前記制御装置と通信するアプリケーションと、
から成る通信システムであって、
前記制御装置は、
前記１以上のノードを含む前記第１のネットワーク上に存在するノードの情報を管理するノード情報管理手段と、
前記ノードから送出される第１の信号を受信する受信手段と、
前記受信手段で第１の信号を受信すると、前記ノード情報管理手段で管理されるノード情報に基づいて前記第１の信号の送信元ノードのノード状態がどのように変化したかを判定する判定手段と、
前記判定手段による判定の結果、前記送信元ノードのノード状態に変化があればその変化内容を示す通知を、第２のネットワークを通じてアプリケーションへ送信する送信手段と、を備える、通信システム。
【請求項５】
前記判定手段は、前記受信手段により第１の信号をブロードキャストで受信し、かつ、前記第１の信号の送信元ノードが前記ノード情報管理に存在し参加済みであるならば、前記送信元ノードの給電が再開されたと判定する、請求項４に記載の通信システム。
【請求項６】
前記判定手段は、前記受信手段により第１の信号をユニキャストで受信し、かつ、前記第１の信号の送信元ノードが前記ノード情報管理に存在し参加済みであるならば、前記送信元ノードで特定の操作が行なわれたと判定する、請求項４に記載の通信システム。
【請求項７】
第１のネットワークを通じて１以上のノードと通信する制御装置を制御するプログラムであって、
前記１以上のノードを含む前記第１のネットワーク上に存在するノードの情報を管理するステップと、
前記ノードから送出される第１の信号を受信するステップと、
前記受信手段で第１の信号を受信すると、前記ノード情報管理手段で管理されるノード情報に基づいて前記第１の信号の送信元ノードのノード状態がどのように変化したかを判定するステップと、
前記判定手段による判定の結果、前記送信元ノードのノード状態に変化があればその変化内容を示す通知を、第２のネットワークを通じてアプリケーションへ送信するステップとを、前記制御装置のプロセッサに実行させる、プログラム。
【手続補正２】
【補正対象書類名】明細書
【補正対象項目名】発明の名称
【補正方法】変更
【補正の内容】
【発明の名称】制御装置、通信システム、およびプログラム
【手続補正３】
【補正対象書類名】明細書
【補正対象項目名】００２４
【補正方法】変更
【補正の内容】
【００２４】
本発明の或る局面に従うと、制御装置は、第１のネットワークを通じて１以上のノードと通信する制御装置であって、１以上のノードを含む前記第１のネットワーク上に存在するノードの情報を管理するノード情報管理手段と、ノードから送出される第１の信号を受信する受信手段と、受信手段で第１の信号を受信すると、ノード情報管理手段で管理されるノード情報に基づいて第１の信号の送信元ノードのノード状態がどのように変化したかを判定する判定手段と、判定手段による判定の結果、送信元ノードのノード状態に変化があればその変化内容を示す通知を、第２のネットワークを通じてアプリケーションへ送信する送信手段と、を備える。
【手続補正４】
【補正対象書類名】明細書
【補正対象項目名】００２５
【補正方法】変更
【補正の内容】
【００２５】
好ましくは、判定手段は、受信手段により第１の信号をブロードキャストで受信し、かつ、第１の信号の送信元ノードがノード情報管理に存在し参加済みであるならば、送信元ノードの給電が再開されたと判定する。
【手続補正５】
【補正対象書類名】明細書
【補正対象項目名】００２６
【補正方法】変更
【補正の内容】
【００２６】
好ましくは、判定手段は、受信手段により第１の信号をユニキャストで受信し、かつ、第１の信号の送信元ノードがノード情報管理に存在し参加済みであるならば、送信元ノードで特定の操作が行なわれたと判定する。
【手続補正６】
【補正対象書類名】明細書
【補正対象項目名】００２６
【補正方法】変更
【補正の内容】
【００２６】
本発明のさらに他の局面に従うと、通信システムは、第１のネットワークを通じて１以上のノードと通信する制御装置と、第２のネットワークを通じて制御装置と通信するアプリケーションと、から成る通信システムであって、制御装置は、１以上のノードを含む第１のネットワーク上に存在するノードの情報を管理するノード情報管理手段と、ノードから送出される第１の信号を受信する受信手段と、受信手段で第１の信号を受信すると、ノード情報管理手段で管理されるノード情報に基づいて第１の信号の送信元ノードのノード状態がどのように変化したかを判定する判定手段と、判定手段による判定の結果、送信元ノードのノード状態に変化があればその変化内容を示す通知を、第２のネットワークを通じてアプリケーションへ送信する送信手段と、を備える。
【手続補正７】
【補正対象書類名】明細書
【補正対象項目名】００２７
【補正方法】変更
【補正の内容】
【００２７】
好ましくは、判定手段は、受信手段により第１の信号をブロードキャストで受信し、かつ、第１の信号の送信元ノードがノード情報管理に存在し参加済みであるならば、送信元ノードの給電が再開されたと判定する。
【手続補正８】
【補正対象書類名】明細書
【補正対象項目名】００２８
【補正方法】変更
【補正の内容】
【００２８】
好ましくは、判定手段は、受信手段により第１の信号をユニキャストで受信し、かつ、第１の信号の送信元ノードがノード情報管理に存在し参加済みであるならば、送信元ノードで特定の操作が行なわれたと判定する。
【手続補正９】
【補正対象書類名】明細書
【補正対象項目名】００２９
【補正方法】変更
【補正の内容】
【００２９】
本発明のさらに他の局面に従うと、プログラムは、第１のネットワークを通じて１以上のノードと通信する制御装置を制御するプログラムであって、１以上のノードを含む第１のネットワーク上に存在するノードの情報を管理するステップと、ノードから送出される第１の信号を受信するステップと、受信手段で第１の信号を受信すると、ノード情報管理手段で管理されるノード情報に基づいて第１の信号の送信元ノードのノード状態がどのように変化したかを判定するステップと、判定手段による判定の結果、送信元ノードのノード状態に変化があればその変化内容を示す通知を、第２のネットワークを通じてアプリケーションへ送信するステップとを、制御装置のプロセッサに実行させる。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】０２２５
【補正方法】変更
【補正の内容】
【０２２５】
今回開示された実施の形態は例示であって、上記内容のみに制限されるものではない。
本発明の範囲は特許請求の範囲によって示され、特許請求の範囲と均等の意味および範囲内でのすべての変更が含まれることが意図される。
本発明の或る局面に従うと、電子機器は、ルータとして動作している消費電力測定器を管理する制御装置と通信する。消費電力測定器は、電子機器によって設定された条件に基づき、消費電力測定器に接続された家電における消費電力を表す電力情報を、制御装置を介して電子機器に送信するものである。条件は、消費電力測定器の揮発性メモリに格納されている。電子機器は、消費電力測定器への給電が停止した後に当該給電が再開されたことに基づいて消費電力測定器から送信される第１の信号に基づく第２の信号を、制御装置から受信する受信手段と、第２の信号を受信したことに基づき、制御装置を介して、消費電力測定器に対して条件を再設定する再設定手段とを備える。
好ましくは、電子機器は、電力情報を収集する第１の動作モードと、電力情報を収集しない第２の動作モードとを備える。再設定手段は、電子機器が第１の動作モードである場合に、消費電力測定器に対して条件を再設定する。
好ましくは、電子機器は、収集した電力情報を表示するための表示手段をさらに備える。再設定手段は、第１の動作モードにおいて電力情報が表示されている場合に、消費電力測定器に対して条件を再設定する。
好ましくは、電子機器は、動作モードが第１の動作モードから第２の動作モードに切替わると、制御装置を介して、消費電力測定器に対して電力情報の送信を停止させる。
好ましくは、条件は、電力情報を送信する時間間隔を表している。
本発明の他の局面に従うと、制御装置は、電子機器と通信し、ルータとして動作している消費電力測定器を管理する。消費電力測定器は、電子機器によって設定された条件に基づき、消費電力測定器に接続された家電における消費電力を表す電力情報を、制御装置を介して電子機器に送信するものである。条件は、消費電力測定器の揮発性メモリに格納されている。制御装置は、消費電力測定器から、消費電力測定器への給電が停止した後に当該給電が再開されたことに基づいて送信される第１の信号を受信する受信手段と、第１の信号を受信したことに基づき、電子機器に第２の信号を送信する送信手段と、第２の信号を送信した後に電子機器から条件の再設定を指示するための指令を受信したことに基づき、当該指令を消費電力測定器に転送する転送手段とを備える。
本発明のさらに他の局面に従うと、通信システムは、ルータとして動作している消費電力測定器と、消費電力測定器を管理する制御装置と、制御装置と通信する電子機器とを備える。消費電力測定器は、電子機器によって設定された条件に基づき、消費電力測定器に接続された家電における消費電力を表す電力情報を、制御装置を介して電子機器に送信する。消費電力測定器は、条件を、消費電力測定器の揮発性メモリに格納している。消費電力測定器は、消費電力測定器への給電が停止した後に当該給電が再開されたことに基づき、第１の信号を送信する。制御装置は、第１の信号を受信する。制御装置は、第１の信号に基づく第２の信号を電子機器に送信する。電子機器は、第２の信号を、制御装置から受信する。電子機器は、第２の信号を受信したことに基づき、制御装置を介して、消費電力測定器に対して条件を再設定する。
本発明のさらに他の局面に従うと、通信条件決定方法は、ルータとして動作している消費電力測定器を管理する制御装置と通信する電子機器において実行される。消費電力測定器は、電子機器によって設定された条件に基づき、消費電力測定器に接続された家電における消費電力を表す電力情報を、制御装置を介して電子機器に送信するものである。条件は、消費電力測定器の揮発性メモリに格納されている。通知条件設定方法は、電子機器が、消費電力測定器への給電が停止した後に当該給電が再開されたことに基づいて消費電力測定器から送信される第１の信号に基づく第２の信号を、制御装置から受信するステップと、電子機器が、第２の信号を受信したことに基づき、制御装置を介して、消費電力測定器に対して条件を再設定するステップとを備える。
本発明のさらに他の局面に従うと、通信方法は、電子機器と通信し、ルータとして動作している消費電力測定器を管理する制御装置において実行される。消費電力測定器は、電子機器によって設定された条件に基づき、消費電力測定器に接続された家電における消費電力を表す電力情報を、制御装置を介して電子機器に送信するものである。条件は、消費電力測定器の揮発性メモリに格納されている。通信方法は、消費電力測定器から、消費電力測定器への給電が停止した後に当該給電が再開されたことに基づいて送信される第１の信号を受信するステップと、第１の信号を受信したことに基づき、電子機器に第２の信号を送信するステップと、第２の信号を送信した後に電子機器から条件の再設定を指示するための指令を受信したことに基づき、当該指令を消費電力測定器に転送するステップとを備える。
本発明のさらに他の局面に従うと、プログラムは、ルータとして動作している消費電力測定器を管理する制御装置と通信する電子機器を制御する。消費電力測定器は、電子機器によって設定された条件に基づき、消費電力測定器に接続された家電における消費電力を表す電力情報を、制御装置を介して電子機器に送信するものである。条件は、消費電力測定器の揮発性メモリに格納されている。プログラムは、消費電力測定器への給電が停止した後に当該給電が再開されたことに基づいて消費電力測定器から送信される第１の信号に基づく第２の信号を、制御装置から受信するステップと、第２の信号を受信したことに基づき、制御装置を介して、消費電力測定器に対して条件を再設定するステップとを、電子機器のプロセッサに実行させる。
本発明のさらに他の局面に従うと、プログラムは、電子機器と通信し、ルータとして動作している消費電力測定器を管理する制御装置を制御する。消費電力測定器は、電子機器によって設定された条件に基づき、消費電力測定器に接続された家電における消費電力を表す電力情報を、制御装置を介して電子機器に送信するものである。条件は、消費電力測定器の揮発性メモリに格納されている。プログラムは、消費電力測定器から、消費電力測定器への給電が停止した後に当該給電が再開されたことに基づいて送信される第１の信号を受信するステップと、第１の信号を受信したことに基づき、電子機器に第２の信号を送信するステップと、第２の信号を送信した後に電子機器から条件の再設定を指示するための指令を受信したことに基づき、当該指令を消費電力測定器に転送するステップとを、制御装置のプロセッサに実行させる。